(57)【要約】【課題】弾性生理感知構造を提供する。【解決手段】弾性生理感知構造はファブリック１０、本体２０、弾性部材３０及び感知モジュール４０を有する。本体２０はファブリック１０の内層上に結合し、且つ本体２０上には少なくとも一個の開口２１を設置する。弾性部材３０は本体２０の一面上に結合され、感知モジュール４０は弾性部材３０上に結合され、本体２０の開口２１外に露出する。これにより感知モジュール４０は弾性部材３０により、ファブリック１０上において身体表層位置に向かう圧力を拡大でき、本体２０の開口２１外に露出する感知モジュール４０は、感知が必要な位置の身体表層上に密着し、感知モジュール４０と身体表層との密着性を向上させられ、動態感知の安定性を改善することができる。【選択図】図１
0003202656.tif 000002
【実用新案登録請求の範囲】
【請求項１】
弾性生理感知構造であって、ファブリック、本体、弾性部材、感知モジュールを有し、
前記本体は、前記ファブリックの内層上に結合し、且つ前記本体上には、少なくとも一個の開口を設置し、
前記弾性部材は、前記本体の一面上に結合し、
前記感知モジュールは、前記弾性部材上に結合され、且つ前記感知モジュールは、前記本体の開口外に露出し、これにより前記感知モジュールは、前記弾性部材により加える圧力を拡大できることを特徴とする弾性生理感知構造。
【請求項２】
前記本体の開口はさらに、横方向状或いは縦方向状で、且つ前記本体はさらに、素材布、ファブリック、シート等の内の任意の一種であることを特徴とする請求項１に記載の弾性生理感知構造。
【請求項３】
前記本体の開口の内面には、片層をさらに結合し、
前記片層は、前記本体の開口に対応し、対応開口を設置し、前記片層はさらにプラスチック、素材布、シート等の内の任意の一種であることを特徴とする請求項１或いは２に記載の弾性生理感知構造。
【請求項４】
前記本体の開口の内面には、２個の片層をさらに結合し、
前記２個の片層は、前記本体の開口の左側と右側にそれぞれ位置し、メッシュを形成し、これにより前記本体の開口はメッシュ位置に対応し、
前記片層はさらに、プラスチック、素材布、シート等の内の任意の一種であることを特徴とする請求項１或いは２に記載の弾性生理感知構造。
【請求項５】
前記ファブリックはさらに、衣服、ズボン、手袋、下着、ベスト、ブラジャー、ベアトップ等の内の任意の一種で、且つ前記ファブリックは、弾性材質編織、或いは非弾性材質編織を採用することを特徴とする請求項１に記載の弾性生理感知構造。
【請求項６】
前記本体の開口は一定の長さをさらに有し、
前記弾性部材は保留長さをさらに有し、
これにより、前記感知モジュールは、前記弾性部材の保留長さにより、前記本体の開口位置において移動することを特徴とする請求項１に記載の弾性生理感知構造。
【請求項７】
前記弾性部材の保留長さには、少なくとも一個の非弾性段をさらに設置することを特徴とする請求項６に記載の弾性生理感知構造。
【請求項８】
前記弾性部材には延伸段をさらに有し、
前記延伸段は、前記ファブリックの縫合線まで延伸することを特徴とする請求項１に記載の弾性生理感知構造。
【請求項９】
前記弾性部材と前記本体との結合方式は、前記弾性部材の両端と前記本体上に、対応する接合部をそれぞれ設置することを特徴とする請求項１に記載の弾性生理感知構造。
【請求項１０】
前記結合は縫合方式、超音波方式、熱溶融合方式或いは接着剤方式等の内の任意の一種を採用することを特徴とする請求項１に記載の弾性生理感知構造。
【請求項１１】
前記感知モジュールと前記弾性部材との結合方式は、前記感知モジュールと前記弾性部材上に、対応するラッチング部をそれぞれ設置することを特徴とする請求項１に記載の弾性生理感知構造。
【請求項１２】
前記感知モジュールと前記弾性部材との結合方式は、前記感知モジュールを前記弾性部材上にダイレクトに固定することを特徴とする請求項１に記載の弾性生理感知構造。
【請求項１３】
前記感知モジュールには、身体表層生理信号を感知する電極片をさらに設置し、
前記電極片は、信号伝送接点とさらに連接することを特徴とする請求項１に記載の弾性生理感知構造。
【請求項１４】
前記感知モジュールには、傾斜感知チップ及びマイクロコントローラーをさらに設置し、
前記マイクロコントローラーは、前記傾斜感知チップと連接し、
前記マイクロコントローラーを通して、前記傾斜感知チップの変化を感知することを特徴とする請求項１に記載の弾性生理感知構造。
【考案の詳細な説明】
【技術分野】
【０００１】
本考案は弾性生理感知構造に関し、特にファブリック、本体、弾性部材及び感知モジュールの組合せ設計を通して、感知モジュールは弾性部材により、ファブリック上において、身体表層位置に向かう圧力を拡大でき、感知モジュールと身体表層との密着性を向上させられ、生理感知衣、傾斜感知衣等、或いは類似構造に適用可能な弾性生理感知構造に関する。
【背景技術】
【０００２】
近年のテクノロジーの発達に従い、感知モジュールと衣服とを結合し、身体の生理状況を検査及び記録し、在宅健康自主管理或いは予防医療に運用する取り組みが研究されている。
【０００３】
現在、感知モジュールと衣服との結合時には、多くが固定式を採用している。
つまり、感知モジュールを、必要な感知位置（胸元など）に縫合し、これにより感知モジュールは、皮膚表層に接触し、人体生理信号の感知を行うことができる。
【０００４】
しかし、従来の固定式構造を採用し衣服に結合すると、着用の関係で、生理信号の測定時に、信号が出たり出なかったりの不安定な現象を生じる。
これにより、生理信号の測定が継続できず、最初から再び行わなければならなくなるため、測定者にとって大きな負担となっている。
よって、本考案人は上記した欠点に鑑み、感知モジュールは動態感知安定性の性能を改善した弾性生理感知構造を備え、これにより使用者は簡易に操作して取り付けでき、使用者に利便性を提供することができる。
【考案の概要】
【考案が解決しようとする課題】
【０００５】
本考案の主要な目的は、一種の弾性生理感知構造を提供することにあり、該弾性生理感知構造はファブリック、本体、弾性部材及び感知モジュールを有する組合せ設計で、本体は、ファブリックの内層上に結合し、且つ本体上には、少なくとも一個の開口を設置し、弾性部材は本体の一面上に結合され、感知モジュールは、弾性部材上に結合され、本体の開口外に露出し、これにより感知モジュールは弾性部材により、ファブリック上において、身体表層位置に向かう圧力を拡大でき、本体の開口外に露出する感知モジュールは、感知が必要な位置の身体表層上に密着し、感知モジュールと身体表層との密着性を向上させられ、動態感知の安定性を改善し、こうして全体の実用性を拡大することができる。
【０００６】
本考案の次の目的は、一種の弾性生理感知構造を提供することにあり、本体の開口は一定の長さを備え、弾性部材は保留長さを有し、こうして感知モジュールは、弾性部材の保留長さにより、本体の開口位置で移動することができ、これにより、感知モジュールは、本体の開口位置において、左右移動ができ、感知位置変換の性能を備え、身体の異なる位置の生理信号を感知することができ、且つその不連動設計により、感知モジュールの安定性を提供し、感知モジュールが、長時間同一位置を圧迫することによる、皮膚が赤く腫れる現象の出現、或いは長時間の圧迫により生じる身体の不快感を改善することができ、こうして全体の実用性を拡大することができる。
【０００７】
本考案のもう一つの目的は、一種の弾性生理感知構造を提供することにあり、弾性部材は延伸段を有し、延伸段はファブリックの縫合線位置まで延伸し、弾性部材上に結合する感知モジュールが本体の開口に露出する時の平坦性を保持することができ、弾性部材により、身体表層において束縛する効果を生じ、本体の開口外に露出する感知モジュールは感知が必要な位置の皮膚上に密着でき、こうして全体の実用性を拡大することができる。
【課題を解決するための手段】
【０００８】
本考案による弾性生理感知構造は、ファブリック、本体、弾性部材及び感知モジュールを有する。
該本体は、該ファブリックの内層上に結合し、且つ該本体上には、少なくとも一個の開口を設置する。
該弾性部材は、該本体の一面上に結合され、該感知モジュールは、該弾性部材上に結合され、該本体の開口外に露出する。
これにより、該感知モジュールは、該弾性部材により加える圧力を拡大できる。
【考案の効果】
【０００９】
本考案は、感知モジュールと身体表層との密着性を向上させられ、動態感知の安定性を改善し、こうして全体の実用性を拡大することができる。
【図面の簡単な説明】
【００１０】
【図１】本考案第一実施形態の立体外観模式図である。
【図２】本考案第一実施形態の感知モジュールが移動する様子の模式図である。
【図３】本考案第二実施形態の立体外観模式図である。
【図４】本考案第二実施形態のパーツ分解模式図である。
【図５】本考案第二実施形態の感知モジュールが移動する様子の模式図である。
【図６】本考案第二実施形態の開口内面に片層が結合する様子の模式図である。
【図７】本考案第三実施形態の立体外観模式図である。
【図８】本考案第四実施形態の弾性部材の延伸段がシングルファブリック縫合線に結合する様子の模式図である。
【図９】本考案第四実施形態の弾性部材の延伸段がファブリック両側の縫合線に結合する様子の模式図である。
【図１０】本考案第四実施形態の弾性部材の延伸段がファブリックを一周取り囲む様子の模式図である。
【図１１】本考案第四実施形態の本体がファブリック上の開口内面の片層に結合する様子の模式図である。
【図１２】本考案第四実施形態の弾性部材上に二組の感知モジュールを設置する様子の模式図である。
【考案を実施するための形態】
【００１１】
図１〜図１２は、本考案実施形態の模式図である。
本考案による弾性生理感知構造の最適実施形態は、身体表層の生理信号或いは身体傾斜角度の変化の感知に運用し、且つ動態感知の安定性を改善する性能を備え、身体表層との密着性を向上させ、こうして全体の実用性を拡大することができる。
【００１２】
本考案弾性生理感知構造の第一実施形態は、ファブリック１０、本体２０、弾性部材３０及び感知モジュール４０を有する。
【００１３】
本体２０は、ファブリック１０の内層上に結合し、且つその結合は、縫合方式、超音波方式、熱溶融合方式或いは接着剤方式の内の任意の一種である。
【００１４】
ファブリック１０は、衣服、ズボン、手袋、下着、ベスト、ブラジャー、ベアトップ等の内の任意の一種（且つ本実施形態のファブリック１０は、衣服やズボンの形態に縫製されていない布を例とする）である。
【００１５】
本体２０上には、少なくとも一個の開口２１を設置する。
開口２１は、横方向状或いは縦方向状で（本実施形態では、２個の縦方向状の開口２１を例とする。図１参照）、且つ本体２０は、素材布、ファブリック、シート等の内の任意の一種（本考案の実施形態では、素材布を採用する）で、シートは、樹脂材質のシート、金属材質のシート、カーボン材質のシート等或いは他の材質のシートである。
【００１６】
さらに、弾性部材３０は、本体２０の一面上に結合される。
その結合は、縫合方式、超音波方式、熱溶融合方式或いは接着剤方式等の内の任意の一種を採用し、或いは弾性部材３０の両端と本体２０上には、対応する接合部をそれぞれ設置する（ボタン、ストレイン・リリーフ・ブッシング、マジックテープ（登録商標）等。本実施形態では、縫合方式を採用する）。
【００１７】
感知モジュール４０は、弾性部材３０上に結合される。
その結合方式は、感知モジュール４０と弾性部材３０上に、対応するラッチング部３１、４１（凹凸部材、オスメス部材等。）をそれぞれ設置（図４参照）し、或いは感知モジュール４０を弾性部材３０上にダイレクトに固定する（縫合方式、超音波方式、熱溶融合方式或いは接着剤方式等の内の任意の一種を採用する）。
【００１８】
感知モジュール４０は、本体２０の開口２１外に露出する（本実施形態では、弾性部材３０は本体２０上の２個の縦方向状の開口２１を通過し、且つ感知モジュール４０は２個の縦方向状の開口２１の間に露出する）。
且つ感知モジュール４０は、接触面を有し、感知モジュール４０の接触面により、身体表層に接触し、身体表層の生理信号を感知する。
これにより、感知モジュール４０は、弾性部材３０により、ファブリック１０上において身体表層位置に向かう圧力を拡大し、本体２０の開口２１外に露出する感知モジュール４０は、感知が必要な位置の身体表層上に密着し、感知モジュール４０と身体表層との密着性を向上させることができる。
【００１９】
本考案弾性生理感知構造の第二実施形態は、ファブリック１０、本体２０、弾性部材３０及び感知モジュール４０を有する。
【００２０】
本体２０は、ファブリック１０の内層上に結合し、且つその結合は、縫合方式、超音波方式、熱溶融合方式或いは接着剤方式の内の任意の一種である。
【００２１】
ファブリック１０は、衣服、ズボン、手袋、下着、ベスト、ブラジャー、ベアトップ等の内の任意の一種（且つ本実施形態のファブリック１０は、衣服やズボンの形態に縫製されていない布を例とする）である。
【００２２】
本体２０上には、少なくとも一個の開口２１を設置する。
開口２１は、横方向状或いは縦方向状で（本実施形態は、横方向状の開口２１を採用する。図３参照）、且つ本体２０は、素材布、ファブリック、シート等の内の任意の一種（本考案の実施形態では、素材布を採用する）で、シートは、樹脂材質のシート、金属材質のシート、カーボン材質のシート等或いは他の材質のシートである。
【００２３】
さらに、弾性部材３０は、本体２０の一面上に結合される。
その結合は、縫合方式、超音波方式、熱溶融合方式或いは接着剤方式等の内の任意の一種を採用し、或いは弾性部材３０の両端と本体２０上には、対応する接合部（ボタン、ストレイン・リリーフ・ブッシング、マジックテープ（登録商標）等）をそれぞれ設置する（本実施形態では、縫合方式を採用する）。
【００２４】
感知モジュール４０は、弾性部材３０上に結合される。
その結合方式は、感知モジュール４０と弾性部材３０上に、対応するラッチング部３１、４１（凹凸部材、オスメス部材等。）をそれぞれ設置（図４参照）し、或いは感知モジュール４０を弾性部材３０上にダイレクトに固定する（縫合方式、超音波方式、熱溶融合方式或いは接着剤方式等の内の任意の一種を採用する）。
【００２５】
感知モジュール４０は、本体２０の開口２１外に露出する（本実施形態では、感知モジュール４０を横方向状の開口２１の間に露出させる）。
且つ感知モジュール４０は、接触面を有し、感知モジュール４０の接触面により、身体表層に接触し、身体表層の生理信号を感知する。
これにより、感知モジュール４０は、弾性部材３０により、ファブリック１０上において身体表層位置に向かう圧力を拡大し、本体２０の開口２１外に露出する感知モジュール４０は、感知が必要な位置の身体表層上に密着し、感知モジュール４０と身体表層との密着性を向上させることができる。
【００２６】
上記した本考案弾性生理感知構造の第一実施形態、第二実施形態では、本体２０の開口２１は、実施時には、一定の長さを有する（本実施形態では、２個の縦方向状の開口２１或いは横方向状の開口２１の状態に実施する）。
【００２７】
弾性部材３０は、保留長さ３２を有し（図１及び図３参照）、且つ感知モジュール４０は、接触面を有する。
感知モジュール４０の接触面により、身体表層に接触し、身体表層の生理信号を感知する。
これにより、感知モジュール４０は、本体２０内部に位置する弾性部材３０の保留長さ３２により、スライド移動動作を行う（図２及び図５参照）。
これにより、感知モジュール４０は、本体２０の開口２１において、感知位置変換の性能を備える。
【００２８】
本考案弾性生理感知構造の第三実施形態は、ファブリック１０、本体２０、弾性部材３０及び感知モジュール４０を有する。
本実施形態の構造は、第一実施形態及び第二実施形態と同様だが、その主要な差異は、第一実施形態及び第二実施形態中の弾性部材３０の保留長さ３２に、少なくとも一個の非弾性段３３を設置する点である（図７参照）。
【００２９】
本実施形態では、２個の縦方向状の開口２１を有する（本実施形態に制限されるものではなく、横方向状の開口２１の状態に実施することもできる）。
且つ非弾性段３３もまた、弾性部材３０の感知モジュール４０の両端にそれぞれ設置される。
感知モジュール４０は、弾性部材３０上の中央位置に結合され、弾性を有する。
【００３０】
非弾性段３３は、弾性部材３０と編織時に一緒に編織して形成し、或いは結合方式を採用し、非弾性段３３と弾性部材３０とを一緒に結合する。
その結合は、縫合方式、超音波方式、熱溶融合方式或いは接着剤方式等の内の任意の一種を採用する。
さらに、弾性部材３０の感知モジュール４０の両端に設置する非弾性段３３を通して、感知モジュール４０は、スライド移動を生じることができる。
【００３１】
本考案の弾性生理感知構造の第四実施形態は、ファブリック１０、本体２０、弾性部材３０及び感知モジュール４０を有する。
本実施形態の構造は、第一実施形態、第二実施形態及び第三実施形態と同様だが、主要な差異は、第一実施形態、第二実施形態及び第三実施形態中の弾性部材３０が、延伸段３４を備える点である。
延伸段３４は、ファブリック１０の縫合線位置まで延伸し、単一辺縫合線位置まで結合（図８参照）し、或いは両辺縫合線位置まで結合（図９参照）し、或いは延伸段３４がファブリック１０を一周するように実施（図１０参照）する。
【００３２】
ファブリック１０は、衣服、ズボン、手袋、下着、ベスト、ブラジャー、ベアトップ等の内の任意の一種で、且つ本実施形態では、ベストのファブリック１０を例とする。
これにより、ベストのファブリック１０は、人の身体上に着用（本考案の実施形態図ではベストのファブリック１０裏返した形式で、内側を図示する）され、人の身体表層と接触を形成する。
こうして、ベストのファブリック１０上に結合した本体２０は、胸部、胸元等の人の身体表層の特定位置に緊密に接触し、本体２０の開口２１外に露出する感知モジュール４０は、人の身体表層に密着する。
且つ、ファブリック１０は、弾性材質編織、或いは非弾性材質編織を採用する。
【００３３】
弾性部材３０が延伸段３４を備えると、弾性部材３０上に結合する感知モジュール４０が本体２０の開口２１に露出する時の平坦性を保持することができる。
さらに、弾性部材３０により、身体表層において束縛する効果を生じ、本体２０の開口２１外に露出する感知モジュール４０を、感知が必要な位置の皮膚上に密着させられ、こうして身体表層との接触効果を高めることができる。
【００３４】
さらに、本考案弾性生理感知構造の第一実施形態、第二実施形態、第三実施形態及び第四実施形態において、本体２０の開口２１の実施時（本実施形態は、横方向状の開口２１を採用する）には、本体２０の開口２１の内面には、片層５０（図６参照、或いは図１１参照）を結合し、その結合は、縫合方式、超音波方式、熱溶融合方式或いは接着剤方式の内の任意の一種である。
片層５０は、本体２０の開口２１に対応し、対応開口５１を設置する。
これにより、弾性部材３０上に位置する感知モジュール４０は、片層５０の対応開口５１及び本体２０の開口２１を通過し、外部に露出する。
【００３５】
且つ、片層５０は、プラスチック、素材布（加工方式を通して、硬度がアクリル糸編織並みの素材布を生産する）、シート（樹脂材質のシート、金属材質のシート、カーボン材質のシート等或いは他の材質）等の内の任意の一種である。
これにより、本体２０の開口２１の硬度を増強でき、感知モジュール４０が本体２０の開口２１においてスライド移動を行う時、弾性部材３０は本体２０の開口２１位置から引き出されにくくなる。
こうして、感知モジュール４０がもともとのスライド移動軌跡から離脱し、使用不能となることを回避することができる。
【００３６】
また、本体２０の開口２１の実施時には、本体２０の開口２１の内面には、２個の片層を結合することができる（図示なし）。
その結合は、縫合方式、超音波方式、熱溶融合方式或いは接着剤方式の内の任意の一種である。
２個の片層は、本体２０の開口２１の左側と右側にそれぞれ位置し、メッシュを形成する（図示なし）。
これにより、本体２０の開口２１はメッシュ位置に対応し、弾性部材３０上に位置する感知モジュール４０は、２個の片層のメッシュ位置及び本体２０の開口２１に位置し、外部に露出する。
【００３７】
且つ２個の片層は、プラスチック、素材布（加工方式を通して、硬度がアクリル糸編織並みの素材布を生産する）、シート（樹脂材質のシート、金属材質のシート、カーボン材質のシート等或いは他の材質）等の内の任意の一種で、これにより本体２０の開口２１の硬度を増強でき、感知モジュール４０が本体２０の開口２１においてスライド移動を行う時、弾性部材３０は本体２０の開口２１位置から引き出されにくくなる。
こうして、感知モジュール４０がもともとのスライド移動軌跡から離脱し、使用不能となることを回避することができる。
【００３８】
本考案弾性生理感知構造の第一実施形態、第二実施形態、第三実施形態、及び第四実施形態において、感知モジュール４０の実施時には、第一実施形態では、身体表層の生理信号を測定できる電極片４０１を設置する（図１、図３、図７或は図８参照）。
且つ電極片４０１は、複数の非導電繊維糸及び複数の導電繊維糸を織って製造し、或いは電極片４０１は、全体を複数の導電繊維糸を織って製造し、こうして電極片４０１全体は、導電効果を有する。
上述の電極片４０１の複数の導電繊維糸は、織って、導電エリアを形成でき、電極片４０１の導電エリアを、身体皮膚上に密着させることで、生理信号の測定を有利に進めることができる。
生理信号は、体温、心拍、脈拍、呼吸の内の任意の一種である。
【００３９】
本考案による弾性生理感知構造の第一実施形態、第二実施形態、第三実施形態及び第四実施形態において、感知モジュール４０の実施時には、第二実施形態では、傾斜感知チップ及びマイクロコントローラー４０２（図１２参照）を設置し、マイクロコントローラー４０２は、傾斜感知チップと連接し、マイクロコントローラー４０２を通して傾斜感知チップの変化を感知する。
【００４０】
傾斜感知チップは、３軸加速度センサー（Ｔｈｒｅｅ  Ａｘｉｓ  Ｌｏｗ-ｇ  Ｍｉｃｒｏｍａｃｈｉｎｅｄ  Ａｃｃｅｌｅｒｏｍｅｔｅｒ）である。
３軸加速度センサーは、Ｘ、Ｙ、Ｚの３つの軸の傾斜角度と加速度により算出し、マイクロコントローラー４０２により定時に計測し伝送する。
傾斜角度は、±１．０度、或いは±１．５度、或いは±２．０度以上などにより、眩暈や転倒などの現象の有無を判断する。
マイクロコントローラー４０２は、設定時に測定回数を定量とし測定する。
例えば、３０秒以内の平均測定値を、±１．０度（或いは±１．５度、±２．０度）以上などに設定し、異常傾斜と認定する。
【００４１】
或いは９軸姿勢センサーを採用することもできる（図示なし）。
９軸姿勢センサーは、３軸加速度センサー、３軸磁場センサー、３軸ジャイロセンサーを含む。
磁場範囲は、±１．３／１．９／２．５／４．０／４．７／５．０／８．１ガウスである。
加速度範囲は、±２ｇ／±４ｇ／±８ｇで、ジャイロ範囲は±２５０／５００／２０００ｄｐｓである。
上述の範囲値を通して、姿勢に異常がないかどうかをモニターし、範囲値を超えた場合には、異常傾斜と認定する。
且つ、上述の傾斜或いは姿勢変化が設定値を超過すると、マイクロコントローラー４０２は無線信号発信器（図示なし）を通して、信号を直ちに伝送する。
【００４２】
本考案による弾性生理感知構造の第四実施形態において、ファブリック１０上には、信号伝送接点６０を設置する（図１２参照）。
信号伝送接点６０は、少なくとも１個の感知モジュール４０と相互に連接する。
これにより、感知モジュール４０が検知測定した生理信号或いは身体傾斜角度の変化を、信号伝送接点６０に伝送する。
信号伝送接点６０には、信号伝送器（図示なし）を組み合わせ、且つ信号伝送器内には、無線伝送モジュールを設置し、これにより生理信号或いは身体傾斜角度の変化を電子デバイス（スマートフォン、スマートタブレットＰＣ、ノートＰＣ、デスクトップＰＣ、医療設備など）、或いはクラウドシステムに無線で伝送することができる。
こうして、その測定結果の理解が便利になり、予防医療を行うことができる。
【００４３】
さらに、弾性生理感知構造の第一実施形態、第二実施形態、第三実施形態及び第四実施形態は実施時に、ファブリック１０、本体２０、弾性部材３０及び感知モジュール４０の組合せ設計を通して、本体２０は、ファブリック１０の内層上に結合し、且つ本体２０上には、少なくとも一個の開口２１を設置し、弾性部材３０は、本体２０の一面上に結合され、感知モジュール４０は、弾性部材３０上に結合され、本体２０の開口２１外に露出する。
これにより、感知モジュール４０は、弾性部材３０により、ファブリック１０上において身体表層位置に向かう圧力を拡大し、本体２０の開口２１外に露出する感知モジュール４０は、感知が必要な位置の身体表層上に密着し、感知モジュール４０と身体表層との密着性を向上させることができ、動態感知の安定性を改善することができる。
【００４４】
また、本体２０の開口２１が一定の長さを備えることで、弾性部材３０は、保留長さ３２を有し、感知モジュール４０は、弾性部材３０の保留長さ３２により、本体２０の開口２１位置で移動することができる。
これにより、感知モジュール４０は、本体２０の開口２１位置において、左右移動ができ、感知位置変換の性能を備え、身体の異なる位置の生理信号を感知することができる。
且つその不連動設計により、感知モジュール４０の安定性を提供し、感知モジュール４０が、長時間同一位置を圧迫することによる、皮膚が赤く腫れる現象の出現、或いは長時間の圧迫により生じる身体の不快感を改善することができる。
【００４５】
前述した本考案の実施形態は本考案を限定するものではなく、よって、本考案により保護される範囲は後述される実用新案登録請求の範囲を基準とする。
【符号の説明】
【００４６】
１０  ファブリック
２０  本体
２１  開口
３０  弾性部材
３１  ラッチング部
３２  保留長さ
３３  非弾性段
３４  延伸段
４０  感知モジュール
４０１  電極片
４０２  マイクロコントローラー
４１  ラッチング部
５０  片層
５１  対応開口
６０  信号伝送接点
【図１】
0003202656.tif 000003
【図２】
0003202656.tif 000004
【図３】
0003202656.tif 000005
【図４】
0003202656.tif 000006
【図５】
0003202656.tif 000007
【図６】
0003202656.tif 000008
【図７】
0003202656.tif 000009
【図８】
0003202656.tif 000010
【図９】
0003202656.tif 000011
【図１０】
0003202656.tif 000012
【図１１】
0003202656.tif 000013
【図１２】
0003202656.tif 000014
【手続補正書】
【提出日】平成27年12月4日(2015.12.4)
【手続補正１】
【補正対象書類名】実用新案登録請求の範囲
【補正対象項目名】全文
【補正方法】変更
【補正の内容】
【実用新案登録請求の範囲】
【請求項１】
弾性生理感知構造であって、ファブリック、本体、弾性部材、感知モジュールを有し、  前記本体は、前記ファブリックの内層上に結合し、且つ前記本体上には、少なくとも一個の開口を設置し、
前記弾性部材は、前記本体の一面上に結合し、
前記感知モジュールは、前記弾性部材上に結合され、且つ前記感知モジュールは、前記本体の開口外に露出し、これにより前記感知モジュールは、前記弾性部材により加える圧力を拡大できることを特徴とする弾性生理感知構造。
【請求項２】
前記本体の開口はさらに、横方向状或いは縦方向状で、且つ前記本体はさらに、素材布、ファブリック、シートの内の任意の一種であることを特徴とする請求項１に記載の弾性生理感知構造。
【請求項３】
前記本体の開口の内面には、片層をさらに結合し、
前記片層は、前記本体の開口に対応し、対応開口を設置し、前記片層はさらにプラスチック、素材布、シートの内の任意の一種であることを特徴とする請求項１或いは２に記載の弾性生理感知構造。
【請求項４】
前記本体の開口の内面には、２個の片層をさらに結合し、
前記２個の片層は、前記本体の開口の左側と右側にそれぞれ位置し、メッシュを形成し、これにより前記本体の開口はメッシュ位置に対応し、
前記片層はさらに、プラスチック、素材布、シートの内の任意の一種であることを特徴とする請求項１或いは２に記載の弾性生理感知構造。
【請求項５】
前記ファブリックはさらに、衣服、ズボン、手袋、下着、ベスト、ブラジャー、ベアトップの内の任意の一種で、且つ前記ファブリックは、弾性材質編織、或いは非弾性材質編織を採用することを特徴とする請求項１に記載の弾性生理感知構造。
【請求項６】
前記本体の開口は一定の長さをさらに有し、
前記弾性部材は保留長さをさらに有し、
これにより、前記感知モジュールは、前記弾性部材の保留長さにより、前記本体の開口位置において移動することを特徴とする請求項１に記載の弾性生理感知構造。
【請求項７】
前記弾性部材の保留長さには、少なくとも一個の非弾性段をさらに設置することを特徴とする請求項６に記載の弾性生理感知構造。
【請求項８】
前記弾性部材には延伸段をさらに有し、
前記延伸段は、前記ファブリックの縫合線まで延伸することを特徴とする請求項１に記載の弾性生理感知構造。
【請求項９】
前記弾性部材と前記本体との結合方式は、前記弾性部材の両端と前記本体上に、対応する接合部をそれぞれ設置することを特徴とする請求項１に記載の弾性生理感知構造。
【請求項１０】
前記結合は縫合方式、超音波方式、熱溶融合方式或いは接着剤方式の内の任意の一種を採用することを特徴とする請求項１に記載の弾性生理感知構造。
【請求項１１】
前記感知モジュールと前記弾性部材との結合方式は、前記感知モジュールと前記弾性部材上に、対応するラッチング部をそれぞれ設置することを特徴とする請求項１に記載の弾性生理感知構造。
【請求項１２】
前記感知モジュールと前記弾性部材との結合方式は、前記感知モジュールを前記弾性部材上にダイレクトに固定することを特徴とする請求項１に記載の弾性生理感知構造。
【請求項１３】
前記感知モジュールには、身体表層生理信号を感知する電極片をさらに設置し、
前記電極片は、信号伝送接点とさらに連接することを特徴とする請求項１に記載の弾性生理感知構造。
【請求項１４】
前記感知モジュールには、傾斜感知チップ及びマイクロコントローラーをさらに設置し、
前記マイクロコントローラーは、前記傾斜感知チップと連接し、
前記マイクロコントローラーを通して、前記傾斜感知チップの変化を感知することを特徴とする請求項１に記載の弾性生理感知構造。